Podtech/llm-jp-corpus-v4-ja_patent huggingface dataset:
(57)【要約】      （修正有）【課題】アフィリエイトなどのネットビジネスを行う者に対して魅力的な記事の大量投稿を支援する。【解決手段】健康や美容など、一般ユーザーが関心の高いジャンルの資格制度を発足させ、アフィリエイトを行う者に、勉強させてその資格を取得させる。資格を取得したライセンス会員に、その資格のジャンルに関連した、動画や文章などの著作物を量産して、メールマガジン等で配信、これらの著作物を活用、あるいは、引用してブログ記事を書き続ける事を許諾して、ファンを引き寄せる魅力的な記事の大量投稿を支援することで、成果率を高める。また、月に１〜２回等、定期的にＩＴ依存による健康被害の怖さの注意を促すメールと共に、体操や呼吸法など具体的な対処法を配信する。【選択図】なし【特許請求の範囲】
【請求項１】
著作物制作者は、美容や健康など一般ユーザーの関心が高い、様々なジャンルの資格制度を発足させて、アフィリエイトを行う者にその資格を取得させる。
著作物制作者は、その資格のジャンルに沿った、動画や文章、写真、イラストなどブログネタになる著作物を大量に制作して、メールマガジンなどで配信、資格取得者にこれらの著作物の活用と引用の権利を許諾することによって質の高いブログを量産させ、アフィリエイトの成果率を高める。
また、著作物の他に、定期的にＩＴ依存症予防の注意喚起を促す警告文、そして、具体的な改善体操や呼吸法などの対処法を配信して、ネット依存による健康被害のリスクを軽減する。つまり、アフィリエイトを行う者が収益を上げ易くすることと、ネットビジネスに因る健康悪化リスクを軽減することにより対価を得る。
以上のシステムよりなる、インターネットを活用したビジネスモデル。
【発明の詳細な説明】
【技術分野】
【０００１】  本発明は、アフィリエイトの成果率を高めつつ、ネット依存による健康被害リスクを軽減するビジネスのシステムに関するものである。
【背景技術】
【０００２】  インターネット通販の世界では、ユーザーが自身のブログなどで、売主の製品を紹介してその対価として報酬を受け取る、アフィリエイトが普及定着しており、多くの人が携わるようになっている。
アフィリエイトとは、その人が作成したブログやサイトに多くのユーザーを呼び込んで、そこで商品を紹介して気に入ったユーザーが商品を購入した時に、報酬が支払われる仕組みである。
つまり、アフィリエイトで十分な成果を上げる為の基本は、多くの読者が繰り返し訪れて読みたくなるような記事を継続して書き続けて、魅力のあるブログを量産してファンを集めることで購入機会を高めることである。
しかしながら、芸能人などのように有名人でなく、アピール出来る資格や実績の無い人にはアクセスするファンも少なく、また、特殊な特技を持たない一般のほとんどの人は、魅力のあるテーマを見つけて質の高い記事を量産し続けることは困難である。
また、魅力的な記事を書く為に、第三者の著作物を無断で引用すると、ブログのアカウントが取り消されてしまうリスクがある。
このような理由の為、高い割合の人が十分な成果が上げられずに、挫折しているのが現状である。
そして、アフィリエイトなどのネットビジネスを行う者は、長時間のパソコンに向き合うことを余儀なくされ、頚肩腕症候群や眼精疲労、心身症になる等の健康悪化リスクの課題が付きまとっていた。
【発明が解決しようとする課題】
【０００３】（イ）アピール出来る資格や実績が無い為に、ブログにアクセスしてファンとなるユーザ      ーが付き難い課題。
（ロ）資格や特技が無いので、軸となるテーマで投稿記事を量産出来ないので、ファンが      増えず、アフィリエイトで十分な成果を上げられない課題。
（ハ）長時間のパソコン作業による健康悪化の課題。
【課題を解決するための手段】
【０００４】  健康や美容など、一般ユーザーが関心の高いジャンルの資格制度を発足させ、アフィリエイトを行う者に、勉強させてその資格を取得させる。
資格を取得したライセンス会員に、その資格のジャンルに関連した、動画や文章などの著作物を量産して、メールマガジン等で配信、これらの著作物を活用、あるいは、引用してブログ記事を書き続ける事を許諾して、ファンを引き寄せる魅力的な記事の大量投稿を支援する。
また、月に１〜２回等、定期的にＩＴ依存による健康被害の怖さの注意を促すメールをと共に、体操や呼吸法など具体的な対処法を配信する。
【効果】
【０００５】  資格取得者は、その資格をアピールして、例えばダイエットインストラクター山田花子のブログのような、ダイエット記事を書く。  そうすることで、資格が看板となって記事の信憑性が高まる。
そして、著作物制作者から、その資格に沿った、質の高い動画や文章などの著作コンテンツの提供を常時受け続けられるので、記事の題材に困ることなく、動画などを組み入れた魅力的な記事を量産し続けられるようなる。よって、ブログのファンが沢山付いて、アフィリエイトの成果率が高まる。
また、定期的なＩＴ依存の恐ろしさを綴ったメールで注意が喚起され、具体的な対処法の配信も受けられるので、ＩＴ依存による健康悪化の危険性を軽減できる。
(57)【要約】      （修正有）【課題】最近は国境を超えた地球的規模で空気の汚染が問題視され、呼吸器疾患の患者激増が社会問題化を為している現状である。そこで、この呼吸器疾患の軽減、減少、快癒に役立つ新規なる食品を提供する。【解決手段】従来、種々な食品に鎮咳作用効果を求めてレンコン食品が添加されてきたが、この鎮咳効果の作用を有するレンコン成分を、古来からの和漢方で伝承され、お腹の消毒効果を有するコンニヤク食品に添加する、呼吸器疾患に対する和漢方の相乗効果を有する薬効食品。【選択図】なし【特許請求の範囲】
【請求項１】
コンニヤク食品と、レンコン食品からなる、新規なる組み合わせの和漢方食品であり、コンニヤク食品にレンコン成分が含有される事を特徴とする新規なる複合食品である
【発明の詳細な説明】
【技術分野】
【０００１】和漢方の新規なる組成食品である
【背景技術】
【０００２】現在、毎日の如く、国境を越えた地球規模の空気の汚染問題が惹起され、その結果多くの、呼吸器疾患の患者が増加を為している現状である、
【先行技術文献】
【特許文献】
【非特許文献】
【発明の概要】
【０００３】
【発明が解決しようとする課題】
【０００４】前述の呼吸器疾患の患者の減少、軽減、快癒、に役立つ食品を提供せんとするものである
【課題を解決するための手段】
【０００４】即ち、日本独特の畑の根菜食品であるコンニヤク加工食品と、泥池の根菜食品であるレンコン加工食品を組み合わせた食用副食の食品である、コンニヤク加工食品には、凝固剤として、カルシュウムが使用されており、広範囲な消毒殺菌作用を有する事は、お腹の毒消しと昔から伝承されている、また、レンコンには咳を制御する作用が公知の事実であり現在も種々の食品に添加されている、然るに、このコンニヤクの薬効とレンコンの薬効の、相乗効果を求めた新規なる食品である、
【発明の効果】
【０００５】この、コンニヤク食品の広範囲な消毒殺菌作用と、レンコンの咳制御作用とが、新規なる和漢方の調合の組み合わせの相乗効果を為し、咳、喘息、気管疾患の治癒に効果をえるものであり、なお、日々の副食素材食品として、摂取ができるため、頻度高く、広範囲の年齢層に供与が可能であり、日々の食事が薬効を為す優位性が得られる
又、該、疾患患者の症状に対する、学術的解明は未完であるが和漢方的経験則による治験では確実に病状改善、治癒効果が得られるものであり、近日中の学術的解明が待たれるものである
【図面の簡単な説明】
【発明を実施するための形態】
【０００６】即ち、コンニヤク食品を製造する任意の過程に於いて、任意の形状のレンコンを添加するものであり、粉状、のり状態、など任意の形状で可能である、また製品の形状は任意に自由な形態が可能である
(57)【要約】      （修正有）【課題】小麦アレルギーを発症させない、時間が経過してもふっくら、モチモチ感を維持しグルテンフリーの三笠を作るためのレシピの提供。【解決手段】小麦粉の代りとして米粉、白玉粉を使用し、この調合基準が時間経過後も柔かく、ふっくらした三笠を作ることを可能にする。【効果】小麦アレルギーを防ぎ栄養価のバランスが良く安全性の高い国内の米粉を使用できる。国内の原料産業に良い結果を与える。【選択図】なし【特許請求の範囲】
〔０００１〕
グルテンフリーの三笠である。
〔０００２〕
小麦粉のかわりとして米粉、白玉粉を使用。
〔０００３〕
この調合基準でグルテンフリーの三笠が出来る。配合量増減しても味、食感のみの変化だけである。
〔技術背景〕
米粉が使用された三笠があるがグレテンフリーでない。
【発明の詳細な説明】
【技術分野】
【０００１】本発明はグルテンを使用しない菓子の三笠を作るレシピ。
【背景技術】
【０００２】従来から原材料に米粉を使用した菓子の三笠というものが存在するがグルテンフリーでない。【０００３】原材料を米粉とする三笠が存在するが本来の三笠のふっくら、モチモチとした食感及び手触りなどが時間の経過とともに失われてしまう。
【発明の概要】
【発明が解決しようとする課題】
【０００１】本発明は以上のような欠点を鑑み時間が経過してもふっくら、モチモチ感を維持しグルテンフリーの三笠を作るという目的のためのレシピ。
【発明の効果】
【０００１】以上の説明から明らかに本発明により次の列挙する効果が得られる。
（１）小売アレルギーでも安心して食することが可能な三笠が出来る。
（２）米粉を使用するので栄養価が高く健康に良く調達も簡単である。
〔調合手順〕
☆スキムミルク    １２ｇ
☆白玉粉          ７０ｇ
☆米粉            ４５ｇ
☆砂糖            ７２ｇ
△卵                ２個（溶きほぐして室温にしておく。）
△牛乳          １１５ｍＬ
△ハチミツ        ２５ｇ
△練乳            少々
△バニラエッセンス少々
◎餡              適量（室温にしておく。）
☆印４ケを振るって混合しておく。−（Ａ）
△印５ケを混合、泡立て器でしっかり滑らかになるまで泡立てる−（Ｂ）
（Ａ）と（Ｂ）をさっくりと軽く混合。混ぜすぎないこと。
１５〜３０分常温で放置しておく。（ラップしておく。）
オイルなしで強火でフライパンを熱しておき、焼く時は、弱火にしてること。◎を入れて熱い時に半月型に折り畳む。
【産業上の利用可能性】本発明により原料（米粉）の調達も簡単であり、栄養価のバランスの良い米粉なのでパン業界、食品業界で製造が利用される。
(57)【要約】【課題】畑の狭い畝間や、公園、庭などの花木の間など、狭い場所の除草はこれまで機械化や除草剤が使用できず、手作業で除草を行ってきた。  本発明は、市販の刈払い機に取り付けることで、このような場所で、短時間に広範囲の除草と、簡単な整地ができる、回転刃を提供する。【解決手段】金属製の円盤１の外周に、スカート状のガード部２と、中心に刈払い機装着用開口部４を設け、除草刃３は刈払い機装着開口部４とガード部２の間に、外周に向け取り付け角度８をもたせ、複数枚設ける、また円盤の回転方向Ｂとは反対方向に、抵抗軽減角度５をもたせ、刃の先端は表土面に対し削り角６をもたせ、末端部は鋭角７にしたことを特徴とする除草回転刃。【選択図】図１
2015167558.tif 000002
【特許請求の範囲】
【請求項１】
中心に刈払い機装着用の円形の開口部（４）を設けた金属性の円盤（１）をベースに、円盤外周にスカート状のガード部（２）を設け、除草刃（３）は刈払い機装着用開口部（４）とガード部（２）の間に外周に向け、取り付け角度（８）をもたせ複数枚設ける、更に円盤の回転方向（Ｂ）とは反対方向に、中心線（Ｃ）を基準に抵抗軽減角度（５）をもたせ、回転刃の先端は、表土削り角度（６）をもたせ、末端部（７）は鋭角にした刈払い機用除草回転刃。
【発明の詳細な説明】
【技術分野】
【０００１】  この発明は、市販の刈払い機に取り付けることで、表土面の除草や簡単な整地ができる回転刃に関するものである。
【背景技術】
【０００２】  従来、刈払い機での作業目的は、表土面より上部に生えた雑草の刈り取り作業が主であった。
【先行技術文献】
【０００３】
【特許文献１】  登録実用新案第３０８９５３０号公報
【発明の概要】
【発明が解決しようとする課題】
【０００４】  これは、次のような欠点があった。
従来、市販されている刈払い機の回転刃は、表土面から上に伸びた雑草の刈り取り作業を目的とし、円盤の円周上にのこぎり状の刃や、数枚の金属性の刃物、又はナイロンの紐を使用したものが主流で、刈払い作業後には、雑草の切り株が残ってしまった。又、特許文献１の円盤を刈払い機に取り付け、回転力で表土を削り取り、除草できるようにしたものが知られる。これまでの回転刃同様、雑草の切り株まで取り除く、除草作業を行おうとした場合、回転する刃が雑草や土  小石などの抵抗から、刈払い機本体エンジンの回転が上がらなくなることや、回転する刃や紐から出る、飛散物が多量に周辺に飛び散り危険である。又、土を削ることで刃がすぐに破損、又は  刃が短時間で切れなくなるなど、除草をする場合これまでの回転刃では多数の問題があった。
本発明は、以上の欠点をなくすためになされたものである。
【課題を解決するための手段】
【０００５】  金属性の円盤（１）の外周にガード部（２）を設け、その内側に中心から外周に向け複数の、角度をもたせた除草刃（３）を設ける、円盤中心に円形の刈払い機装着用開口（４）を設け、市販の刈払い機の各メーカー共通である回転刃固定部位（１０）に（４）をはめ込み固定金具（１２）と固定ボルト（１３）にて刈払い機に装着する。
本発明は、以上の構成よりなる市販の刈払い機に用いる、除草回転刃である。
【本発明の効果】
【０００６】  本発明を使用することで以下の効果が得られる。
除草刃が表土を回転しながら削り取るため、表土面とその下にある根を含めた除草ができ、雑草の切り株が残らない。
表土を削りながら作業をするため、表土面の簡単な整地ができる。
ガード部は、回転する除草刃が、雑草以外の作物や立ち木、又は建物に直接当たることを防ぎ、狭い場所でも安心して作業ができる。
ガード部は、作業中に除草刃から出る、雑草、土、小石などが、周辺に飛び散ることを最小限に抑え、安全な作業ができる。
ガード部が、除草刃と表土面との接地高を一定に保つことで、除草刃が土に深く入り過ぎることを防ぎ、回転刃と刈払い機本体に、大きな負担がかからず、安定した作業ができる。
除草刃を、回転方向とは反対方向に抵抗軽減角度をもたせることで、雑草、土、小石などから受ける、除草刃と刈払い機本体への衝撃と抵抗が軽減され、安定した作業ができる。
本発明は、市販の刈払い機に共通する、回転刃脱着部位を利用し、既存の回転刃と同様に、簡単に脱着することができる。
【図面の簡単な説明】
【０００７】
【図１】  本発明の平面図である。
【図２】  本発明のＡ−Ａ断面図である。
【図３】  本発明の側面図である。
【図４】  本発明の底面図である。
【図５】  本発明の取付けイメージ図である。
【図６】  本発明の取り付け状態を示す分解図である。
【図７】  本発明の刈払い機本体への装着全体図である。
【発明を実施するための形態】
【０００８】  以下、本発明の形態を説明する。
金属製円盤（１）の外周に、スカート状のガード部（２）を設け、中心部に各メーカー共通の円形の刈払い機装着用開口部（４）を設ける。
除草刃（３）は刈払い機装着用開口部（４）とガード部（２）の間に、中心から外周に向け、取り付け角度（８）をもたせ複数枚設け、また円盤の回転方向（Ｂ）とは反対方向に、中心線（Ｃ）に対して抵抗軽減角度（５）をもたせる、刃の先端は表土削り角度（６）をもたせ、末端部は鋭角（７）にする。
本発明は、以上のような構造である。
本発明を使用するときは、図６に示すように、刈払い機本体（１４）のメーカー共通の回転刃脱着部（１０）に本発明の装着用開口部（４）をはめ込み、固定金具（１２）と固定ボルト（１３）で装着し、既存の刈払い機の回転刃同様、刈払い機本体のスロットルレバー（１６）で、エンジン（１７）と除草回転刃（１）の回転速度を調整しながら、刈払い機本体のハンドル（１８）で、表土面の傾斜に除草刃が平行になるように角度を合わせながら、表土面をなでるように作業を進めればよい。
【符号の説明】
【０００９】    １  金属製円盤ベース
２  ガード部
３  除草回転刃
４  刈払い機装着用開口
５  切削時抵抗軽減角
６  表土削り角
７  末端部
８  除草刃取り付け角
９  除草刃の抜き後開口部
１０  刈払い機本体  回転刃脱着部
１１  エンジン動力シャフト
１２  回転刃固定金具
１３  回転刃固定ボルト
１４  刈払い機本体
１５  回転刃脱着部位
１６  刈払い機本体スロットルレバー
１７  刈払い機本体エンジン
１８  刈払い機本体ハンドル
【図１】
2015167558.tif 000003
【図２】
2015167558.tif 000004
【図３】
2015167558.tif 000005
【図４】
2015167558.tif 000006
【図５】
2015167558.tif 000007
【図６】
2015167558.tif 000008
【図７】
2015167558.tif 000009
(57)【要約】【課題】  この発明は、特許公開２０１３−１７９９３６「２つのリール機能を装着した釣竿で仕掛けを遠くへ衝撃なく誘導する釣具」に装着して、他の釣竿（７）に装着した仕掛け（５）を目的の場所へ運び、水中へ落下させる仕組みを実現するウキに関するものである。【解決手段】  筒状や船形の本体（１）の下部におもり（２）を付け、「２つのリール機能を装着した釣竿で仕掛けを遠くへ衝撃なく誘導する釣具」（６）に装着する為の装着用リング（３）を設ける。本体（１）には、他の釣竿（７）に装着した仕掛け（５）が格納できる。以上の構成よりなる釣具（ウキ）である。【選択図】図１
2015167554.tif 000002
【特許請求の範囲】
【請求項１】
「２つのリール機能を装着した釣竿で仕掛けを遠くへ衝撃なく誘導する釣具」（６）に装着して、他の釣竿（７）に装着した仕掛け（５）を目的の場所へ運び、水中へ落下させる仕組みを実現する事を特徴とするウキ。
【発明の詳細な説明】
【技術分野】
【０００１】この発明は、特許公開２０１３−１７９９３６「２つのリール機能を装着した釣竿で仕掛けを遠くへ衝撃なく誘導する釣具」に装着して、他の釣竿（７）に装着した仕掛け（５）を目的の場所へ運び、水中へ落下させる仕組みを実現するウキに関するものである。
【背景技術】
【０００２】従来、軽い仕掛けや、衝撃に弱い餌を付けた仕掛けを釣り人から遠い場所へ投入、搬送する事は難しかった。
【先行技術文献】
【特許文献】
【０００３】
【特許文献１】特許公開２０１３−１７９９３６
【発明の概要】
【発明が解決しようとする課題】
【０００４】これは、つぎのような欠点があった。
▲１▼取れやすい餌又は、衝撃に弱い餌をつけた仕掛けを遠くへ投入できない。
▲２▼軽い仕掛けや、空気抵抗が大きい仕掛を遠くへ投入できず、そのような仕掛けを        投入する場合は、風の影響を受けやすく、風が強い状況下では目的地点へ仕掛け        を正確に投入するのが難しい。
▲３▼重いおもりを付けた仕掛けでは、仕掛けの微妙な移動や誘いを実現するのが難し        かった。
▲４▼従来の「２つのリール機能を装着した釣竿で仕掛けを遠くへ衝撃なく誘導する釣        具」だけでは軽い仕掛けを目的地へは遊動できたが、遊動後の仕掛けの操作を繊        細な軽い釣竿で実現できなかった。
本発明は、以上のような欠点をなくすためになされたものである。
【課題を解決するための手段】
【０００５】筒状や船形の本体（１）の下部におもり（２）を付け、「２つのリール機能を装着した釣竿で仕掛けを遠くへ衝撃なく誘導する釣具」（６）に装着する為の装着用リング（３）を設ける。本体（１）には、他の釣竿（７）に装着した仕掛け（５）が格納できる。以上の構成よりなる釣具（ウキ）である。
【発明の効果】
【０００６】おもり（２）でウキ本体（１）は、水上で垂直に自立する為、他の釣竿（７）に装着した仕掛け（５）をウキ本体に格納した状態で目的地点まで水や空気の抵抗をかけずに誘導でき、仕掛けに連結した糸（９）を引っ張る事で簡単に、目的地の水中へ仕掛け（５）を投入できる為、以下の事が実現できる。
▲１▼取れやすい餌又は、衝撃に弱い餌をつけた仕掛けでも遠くへ誘導できる。
▲２▼軽い仕掛けや、空気抵抗が大きい仕掛けであっても、遠くの地点まで仕掛けを誘        導できる。
▲３▼投入された仕掛けの誘導は、他の釣竿（７）で行える為、繊細な竿や仕掛けで釣        りが可能となり、軽い仕掛けを使った時に実現可能な仕掛けの自然な移動や誘い        を実現でき、魚信を繊細に感知できる。
【図面の簡単な説明】
【０００７】
【図１】「２つのリール機能を装着した釣竿で仕掛けを遠くへ衝撃なく誘導する釣具」に装着した所を示した側面図である。
【図２】本発明の斜視図である。
【図３】本発明の断面図である。
【図４】仕掛けを格納した状態を示した断面図である。
【図５】仕掛けを格納した状態を示した斜視図である。
【図６】海中の目的地に遊動された状態を示した側面図である。
【図７】目的地に遊動されたウキから仕掛けを落下させる所を示した側面図である。
【図８】船型にした例を示した斜視図である。
【発明を実施する為の形態】
【０００８】以下、本発明を実施する為の形態について説明する。
図２で示すように、筒状の本体（１）におもり（２）、装着用リング（３）を付け、本体には糸止め（４）の切れ込みが付けられている。
【０００９】本発明を使用する時は、
図５で示すように、「２つのリール機能を装着した釣竿で仕掛けを遠くへ衝撃なく誘導する釣具」（６）に装着用リング（３）で接続し、他の釣竿（７）の仕掛け（５）を本体（１）に格納する。仕掛けが絡まり易い場合等は、仕掛け（５）を延ばした状態で格納し、糸を糸止め（４）に引っ掛けて絡みを防ぐ。
【００１０】装着後、「２つのリール機能を装着した釣竿で仕掛けを遠くへ衝撃なく誘導する釣具」（６）で目的地点までウキを遊動する。ウキはおもり（２）がある為、垂直に立った状態で遊動される為、格納した仕掛け（５）を水中に落とす事なく遊動できる。図６
【００１１】目的地点に遊動されたら、他の釣竿（７）の仕掛けに連結した糸（９）を引き、仕掛け（５）がウキ本体（１）から引きずり出され、水中へ落下する。落下後は他の釣竿（７）により、魚釣りを開始する。図７
【００１２】魚の生餌を使わない場合や、穏やかな海で使用する場合等、仕掛けが落ちにくい状況下で使用する場合は、本体（１）の筒状の部分を浅く船型にする事により、水の抵抗をより少なくでき、目的地点までの遊動をなめらかにする事も可能である。図８
【符号の説明】
【００１３】１    本体
２    おもり
３    装着用リング
４    糸止め
５    仕掛け
６    「２つのリール機能を装着した釣竿で仕掛けを遠くへ衝撃なく誘導する釣具」
７    他の釣竿
８    海面
９    仕掛けに連結した糸
【図１】
2015167554.tif 000003
【図２】
2015167554.tif 000004
【図３】
2015167554.tif 000005
【図４】
2015167554.tif 000006
【図５】
2015167554.tif 000007
【図６】
2015167554.tif 000008
【図７】
2015167554.tif 000009
【図８】
2015167554.tif 000010
(57)【要約】【課題】血液型別に原材料を分けた血液型別ダイエットおかゆ、及びそのおかゆを用いたダイエット方法を提供する。【解決手段】血液型別に、青発芽玄米、もち黒米、もち赤米、うるち赤米、もち発芽玄米、はとむぎ、うるちひえ、うるちあわ、黒ゴマ、白ゴマ、もちひえ、もちきび、白もちあわ、アマランサス、あずき、等の原材料を配分した血液型別ダイエットおかゆ、及び、その血液型別ダイエットおかゆを用いたダイエット方法。【選択図】なし【特許請求の範囲】
【請求項１】
血液型別に原材料を分けた血液型別ダイエットおかゆであることを特徴とする。
【請求項２】
請求項１に記載の血液型別ダイエットおかゆを用いたダイエット方法。
【発明の詳細な説明】
【技術分野】
【０００１】  本発明は、血液型別ダイエットおかゆと、そのおかゆを使用したダイエット理論に関する。
【背景技術】
【０００２】  近年、血液型別による体質の違いから食事内容とダイエット方法も変わってくるという理論が推奨されていることに加えダイエット中の食事としておかゆが使用されていることがある。【０００３】  血液型による体質の違いは個人差もあり統計学上の理論とされるが、医学的根拠以上に血液型に関する人々の興味の高さが製品の根拠としては充分といえる。
【発明の概要】
【発明が解決しようとする課題】
【０００４】  本発明が解決しようとする課題は、血液型別に原材料を分けた血液型別ダイエットおかゆ、及びそのおかゆを用いたダイエット方法を提供することである。
【課題を解決するための手段】
【０００５】  血液型別に原材料を分けた血液型別ダイエットおかゆである。【０００６】  血液型別ダイエットおかゆを用いたダイエット方法である。
【発明の効果】
【０００７】  各血液型による雑穀が持つ栄養成分は、その血液型の違いから来る体質に効果的に作用するものである。【０００８】  各血液型からくる体質の違いはそのままかかりやすい病気にもつながり、各雑穀はそれに対応する成分を含み実際効果を発揮するものと推測する。
【発明を実施するための形態】
【０００９】  血液型による体質の違いとこのおかゆに含まれる雑穀がどう影響するかを説明する。
【００１０】  まず血液型のルーツと大まかな特徴を説明する。
【００１１】  Ｏ型は人間の原始の血液型といわれるＯ型は狩猟生活の名残を残していて、消化酵素が豊富にあり胃酸の分泌も盛ん。
【００１２】  反対に農耕・牧畜文化のものは苦手なので乳製品や穀物の消化が苦手。
【００１３】  痩せやすい体質になるには、高タンパク質＋炭水化物少なめな食生活がベスト。
【００１４】  注意したい病気は胃潰瘍、十二指腸潰瘍、アレルギー、甲状腺疾患、関節リウマチ、口臭、慢性疲労症候群、糖尿病、骨粗鬆症など。
【００１５】  Ａ型は農耕民族がルーツといわれており、野菜や穀物が体に合っていて、胃酸と消化酵素が分泌されにくいので肉や魚を消化しにくいのが特徴。
【００１６】  乳製品も合わないのでなるべく摂らない方がいい。
【００１７】  昔ながらの和食が体に合う。
【００１８】  注意したい病気は不安障害、うつ、心臓病、高血圧、ガン、糖尿病、関節炎、月経前症候群、骨粗鬆症など。
【００１９】  Ｂ型は遊牧民族がルーツといわれており、高い免疫力と消化酵素の分泌がとても活発で、幅広く食事を楽しめるのが特徴。
【００２０】  移動生活に適した食事が合うため、乳製品を中心に青菜、肉、卵、レバーなどを積極的に摂ると良い。
【００２１】  注意したい病気は慢性疲労症候群、慢性鼻炎、多発性硬化症、関節リウマチ、月経前症候群など。
【００２２】  ＡＢ型は最も新しい血液型。太りやすい、体質に合わない食材はＢ型と似ているのが特徴。
【００２３】  ＡＢ型は、Ａ型とＢ型の特徴を併せ持つため複雑で不安定なのが特徴。
【００２４】  注意したい病気  は動脈硬化、心臓病、高血圧、ガンなど。
【００２５】  これら各血液型の特徴を基に、各雑穀の配分を以下に示す。
【００２６】Ｏ型
青発芽玄米
もち黒米
もち赤米
うるち赤米
もち発芽玄米
はとむぎ
うるちひえ
うるちあわ
黒ゴマ
白ゴマ
もちひえ
もちきび
白もちあわ
アマランサス
あずき
【００２７】Ａ型
青発芽玄米
もち黒米
もち赤米
緑米
発芽玄米
もち米
米粒麦
押麦
もちひえ
もちきび
白もちあわ
金ゴマ
アマランサス
黒大豆
あおばた豆
【００２８】Ｂ型
青発芽玄米
もち黒米
もち赤米
うるち黒米
もち玄米
胚芽精米
米粒麦
もち麦
はだか麦
もちひえ
もちきび
白もちあわ
黄色もちあわ
大正金時
大手亡
【００２９】ＡＢ型
青発芽玄米
もち黒米
もち赤米
うるち玄米
米粒麦
胚芽押麦
丸麦
もちひえ
もちきび
白もちあわ
高きび
アマランサス
大豆
黒千石
秘伝豆
【００３０】  おかゆと雑穀の一食分の各量は以下のとおりである。
【００３１】  おかゆは米約３８ｇに対し水約２１２ｇ
【００３２】  各血液型別の雑穀はどれも雑穀約９．７ｇに対し水約５．３ｇ
【００３３】  おかゆと雑穀はそれぞれ別の袋に封入し、湯せんもしくは袋から出し器に盛り、レンジで加熱も可能とする。
【００３４】  次にこのおかゆを使用した「血液型別おかゆダイエット」の方法
【００３５】  通常、朝、昼、晩と摂取する食事において、その内の１〜３食をこのおかゆに変えていただくという簡単なものである。
【００３６】  通常ご飯１杯約１４０ｇが約２３５Ｋｃａｌとなるが、このおかゆは１食分２５０ｇで約１００Ｋｃａｌ
【００３７】  おかゆはこれだけで１食済ますことが出来るが、ご飯の場合はさらにおかずが必要となるので、総摂取カロリーを５００Ｋｃａｌと想定した場合、１食につき約４００Ｋｃａｌ減らすことが可能となる。
【００３８】  栄養価の問題も、必要な栄養分が全てこのおかゆでまかなえるわけではないが、胃腸の負担を軽くするなどおかゆ本来の機能が栄養摂取以上の効果をもたらし、体の機能を整えることで健康増進に一役かうことが推測される。
【００３９】  禅のおしえにもおかゆの効能として「顔色を良くする」、「力がみなぎる」、「寿命を延ばす」等美容と健康への良さが窺える言葉が並ぶ。
【００４０】  おかゆも雑穀も目新しいものではないが、雑穀ひとつひとつの効能を調べて調合し、血液型別の体質の違いに合わせ具材を変えたことと、販売店により、地域ごとに各血液型別売れ筋商品のデータ取りが可能となる。
(57)【要約】      （修正有）【課題】省力化を追求した栽培方法と自然の摂理を壊さない画期的な長芋栽培方法を提供する。【解決手段】ビニール袋に混合腐葉土を入れて支柱を立てて栽培し、管理機等で土寄せ、草取り作業をせず、収穫作業が簡単に出来る。混合腐葉土は繰り返し利用し、農薬は使用せず、自然界の状態に近い環境で栽培する。【選択図】なし【特許請求の範囲】
【請求項１】
自然界に生えている長芋（俗名山の芋）の零余子を採取して、一年間圃場で育ててから、ビニール袋（高さ１，２０ｃｍ×横５０ｃｍ）に土と腐葉土、牛糞、油粕、鶏糞を混ぜ合わせた混合腐葉土をビニール袋に入れ、長芋の苗を定植する栽培方法です。
【請求項２】
土は、土、腐葉土、牛糞、油粕、鶏糞を混ぜ合わせて作る（以下「混合腐葉土」と言う。）配合割合は土１０ｋｇに対して腐葉土２ｋｇ、牛糞２ｋｇ、油粕０．５ｋｇ、鶏糞０．５ｋｇの割合とします。
【請求項３】
支柱を４カ所ビニール袋の中から地中に１０ｃｍ差し込んでビニール袋を支え、４カ所をビニール紐で括ることでビニール袋の崩れを防ぎ、安定感をもたせる。（側図面  参照１）
【請求項４】
ビニール袋の中の２本の支柱とビニール袋の外の２本の支柱とを棒で、直線上に並べてビニール紐で括り、全体の強度を保ち、これに長芋のつるをのぼらせることで、風や雨に耐えることが出来きる。また、管理機等での土寄せ、草取り作業が省け、省力化にもつながり栽培管理に係る時間が大幅に削減できることで、栽培経費を削減することができる画期的な栽培方法です。（側図面  参照１）
【請求項５】
苗を定植する以外にも長芋（俗名山の芋）の零余子をビニール袋に直截定植する方法もあります。
【請求項６】
ビニールの袋の底は丸く切り、地下水があがるようにして乾燥を防ぎ、ビニール袋の周りを土で覆うことで、ビニール袋が崩れ難くなります。
【発明の詳細な説明】
【技術分野】
【０００１】  本発明は、直接圃場に定植しない方法です。農薬を一切使用しないことで、自然界の生育状態を再現した栽培方法です。また、ビニール袋で栽培することで栽培に係る経費を大幅に削減することがでる上に、管理機等での土寄せ、草取り作業も省けることで、省力化にも適う画期的な栽培方法であります。最初にビニール袋に混合腐葉土を入れて、ビニール袋の中に４本の支柱立てて、ビニ−ル袋の外側に２本の支柱を立て４本の支柱を棒でつなぎこれをビニール紐で括る。長芋を定植し、収穫はビニール袋を切り開いて収穫するので簡単に収穫することが出来ます。なお、一作使用した混合腐葉土は、再度新しい混合腐葉土と混ぜて使用する。
【背景技術】
【０００２】  昔から天然の長芋は、山に生育しているものである。が、野木康風式らくらく長芋栽培方法、混合腐葉土を入れたビニール袋の中に１本の長芋を定植する。混合腐葉土は、繰り返し使用するためコストが低く抑えられる。また、混合腐葉土の配合割合が重要で今回の栽培方法は、特に人の手を極力省き自然の状態を保つことで、長芋が持っている粘りと純白さにサクサク感を高める秘策の栽培方法です。
【図面の簡単な説明】
【０００３】
【図１】本発明の側面図
【図２】本発明の平面図
【符号の説明】      （１）  支柱（２）ビニール袋（３）括り紐（４）丸く切りぬく（５）Φ５ｍｍ
【図１】
2015167561.tif 000002
【図２】
2015167561.tif 000003
(57)【要約】【課題】  複数のＬＥＤを輝度が揃うように点灯する場合全てのＬＥＤを直列接続し、定電流電源で駆動する。並列ＬＥＤパスの駆動では、各々の並列ＬＥＤパスに定電流電源が必要である。大型の照明装置ではＬＥＤ使用量が多く並列接続は避けられない為、コストダウンの妨げとなっている。【解決手段】  複数の直列ＬＥＤパスを並列に持ったＬＥＤ照明ユニットで、単一の定電流電源で点灯可能で、均等輝度を達成、かつ最小損失を得る為に、各直列ＬＥＤパスに電流制限回路を持ち、かつ最もＶＦの低い直列ＬＥＤパスを検出し、そのパスをＶＦバラツキの上限に自動設定する事で上記目標を達成する。【選択図】図１
2015167166.tif 000002
【特許請求の範囲】
【請求項１】
直列ＬＥＤパスを複数並列に有し、かつ単一の定電流電源で駆動出来るＬＥＤ照明装置に於いて、直列ＬＥＤパスのそれぞれにゲートを共通接続し定電流領域で動作するＭＯＳトランジスタによる電流制限回路を有し、かつ、上記直列ＬＥＤパスの最も順方向電圧（ＶＦ）の低い直列ＬＥＤパスを検出する回路とその検出出力を、概直列ＬＥＤパスの動作点をＬＥＤのＶＦ製造バラツキに合わせ最小化する電圧に変換し、前記ＭＯＳトランジスタの共通ゲートに接続した、並列ＬＥＤ駆動回路。
【発明の詳細な説明】
【技術分野】
【０００１】
本発明はＬＥＤを使用した照明器具の内部構造に関するものである。
【背景技術】
【０００２】
ＬＥＤは電圧を印加する事により点灯するが、その輝度は印加電圧ではなく、ＬＥＤを流れる順方向電流に依存する。定格輝度を得るための順方向電圧はＶＦと定義されるが、順方向電圧対順方向電流の関係は製造バラツキを持つ事から、ＶＦは個々のＬＥＤ間で差異を持つ。従って、ＬＥＤを並列接続すると個々のＶＦの差異により、電流の偏りが発生し輝度ムラが発生する。そのため複数のＬＥＤを同時に点灯する場合には全てのＬＥＤを直列に繋ぎ、それらを定電流駆動するのが一般的である。
【０００３】
直列ＬＥＤパスを複数並列に使用する場合は、その並列パスごとに独立した定電流源を使用する。その定電流源を効率的に構成した例もある。（特許文献１参照）
【先行技術文献】
【特許文献】
【０００４】
【特許文献１】USP 6,628,252 B2
【発明の概要】
【発明が解決しようとする課題】
【０００５】
並列パス毎に定電流電源を使用する方法は確実であるが、コスト的に問題がある。小電力のＬＥＤ照明では並列パス毎に直列抵抗を挿入しＶＦのバラツキを緩和する方法が使われる。本質的な欠点として、抵抗器で無効な電力が消費されると言う事がある。
【０００６】
従来から使用されている単一出力の定電流電源を使用し、並列パスに均等に電流を流せる補助回路がＬＥＤ照明装置の製造に必要となっている。
【課題を解決するための手段】
【０００７】
並列パス毎にトランジスタによる電流制限回路を挿入し、各並列パスに等しい電流が流れるように制御し、かつ、並列パスの電流の総和が駆動する定電流電源の供給電流に等しく、かつ、概電流制限回路の電圧降下分が最小になる様に制御する。
【発明の効果】
【０００８】
ＬＥＤ照明市場では屋内電源、ＡＣ１００Ｖ、ＡＣ１１０Ｖ、ＡＣ２００Ｖ、ＡＣ２２０ＶなどからＡＣＤＣ変換、定電流化しＬＥＤを点灯する器具が大半を占める、その為にＡＣＤＣ変換回路の効率向上の観点から、ＬＥＤ点灯電圧は上昇傾向にある。現在は点灯電圧３６Ｖが主流となっている。このＬＥＤの場合、２個直列で７２Ｖであり、特異性は余り無いが、４個となった場合には１４４Ｖ、８個の場合は２８８Ｖとなり、安全基準を満たす為のコストが膨大になる。
【０００９】
本発明により、並列パスを使用し電圧を抑えつつ、輝度ムラを解消することで安価な照明器具を製造出来る。
【図面の簡単な説明】
【００１０】
【図１】本発明の１実施形態
【図２】定電流可能範囲の説明
【実施例】
【００１１】
図１に於いて、［１００］は定電流電源であり、ＬＥＤを有する照明器具に内蔵でも外置きでも構わない。
【００１２】
［１０１］複数の直列ＬＥＤパスで構成された、並列パス。２個以上であれば何個でも良い。
【００１３】
［１０２］最もＶＦの低いＬＥＤパスを検出する為の手段。
【００１４】
［１０３］並列パスそれぞれに等しい電流を流す為の電流制限回路。図はＭＯＳＦＥＴ（［２０４］参照）を使用しているが定電流領域を持ったトランジスタであればどれでも動作する。
【００１５】
［１０４］検出されたＶＦ最小値のＬＥＤパスの駆動点電圧から、最適な動作点に変換するための抵抗分割回路。
【００１６】
図２に置いて、［２００］はトランジスタの定電流領域を示す。Voltageはトランジスタのソース・ドレイン間電圧、CurrentはVoltage変化に伴う、ソース・ドレイン電流。定電流領域ではソース・ドレイン間電圧が変化してもソース・ドレイン間電流は一定値を示す。
【００１７】
［２０１］図１の回路［１０２］が検出したVFが最も小さいＬＥＤ並列パスに繋がる電流制限トランジスタのドレイン電圧。[注]ＶＦが最も小さいＬＥＤパスに繋がるドレイン電圧は最も高い。
【００１８】
［２０２］ＶＦが最も小さいＬＥＤパスに基づいて、そのパスのドレイン電圧が［２０１］に決定したとき、ＭＯＳＦＥＴのゲート電位は一意的に定まる。そのゲート電位が維持された状態で、ソース・ドレイン電圧を下げて行くと定電流性が維持できなくなる点に到達する。ＶＦが最も小さいＬＥＤパス以外のＬＥＤパスのＶＦはそれよりも高いのでドレイン電圧は低くなる。そのＬＥＤパスのＶＦが［２０２］電圧以下になると電流の等価性は保証されない。
【００１９】
［２０３］は電圧［２０１］から電圧［２０２］を引いた値である。使用中のＬＥＤパスのＶＦ最大値と最小値の差がこの値以下であれば、ＬＥＤ輝度の等価性が保証される。Range［２０３］を大きくすれば、大きなＬＥＤのＶＦバラツキを吸収出来る。ただし、電圧［２０１］とＬＥＤパス電流の積で求められる電力はトランジスタで消費される無効電力である。
【図１】
2015167166.tif 000003
【図２】
2015167166.tif 000004
(57)【要約】【課題】バサルト繊維を効率的に製造することができる。【解決手段】溶射バーナ２を備える炉体１と、玄武岩の粉体４３，４４を溶射バーナ２へ供給するための、空気と酸素の混合気体を流通させる搬送配管３３，３４とを備え、溶射バーナ２によって溶融生成された溶湯Ｌを貯留する炉体１の底壁１１に繊維引出し孔１２を設けて、当該繊維引出し孔１２よりバサルト繊維を炉外へ引き出し、引き揃え機５１で並行状態とした後、巻き取り機５２で巻き取る。【選択図】        図１
2015113275.tif 000002
【特許請求の範囲】
【請求項１】
溶射バーナを備える炉体と、玄武岩の粉体を前記溶射バーナへ供給するための、酸素、又は空気と酸素の混合気体を流通させる気体搬送路とを備え、前記溶射バーナによって溶融生成された溶湯を貯留する前記炉体の底壁に繊維引出し孔を設けて、当該繊維引出し孔よりバサルト繊維を炉外へ引き出すようにしたバサルト繊維製造装置。
【請求項２】
前記気体搬送路を複数設けてそれぞれ異なる種類の前記粉体を前記溶射バーナへ供給するようにした請求項１に記載のバサルト繊維製造装置。
【発明の詳細な説明】
【技術分野】
【０００１】
本発明はバサルト繊維製造装置に関し、特に、バサルト繊維を効率的に製造することができる製造装置に関するものである。
【背景技術】
【０００２】
バサルト繊維は自然素材である玄武岩から作られる繊維で、張力性、伸縮性、耐振動性、耐熱性等に優れるとともに、自然素材の鉱物から生成されるものであるため焼却炉での処理が可能であり、地球環境にやさしい素材として注目されている。そして、高価なカーボンファイバーなどに変わるものとして、建築・土木等あらゆる分野への利用が期待されている。
【０００３】
この種のバサルト繊維の製造方法として、例えば特許文献１には、玄武岩の粉砕物を原料として溶融炉の投入ホッパに供給し、炉内へ投入された原料を表面からバーナ加熱して溶融するものが知られている。
【先行技術文献】
【特許文献】
【０００４】
【特許文献１】特開２００６−３４７８４５
【発明の概要】
【発明が解決しようとする課題】
【０００５】
しかし、上記従来の製造方法ではバサルト繊維の生産効率が未だ十分でないという問題があった。
【０００６】
そこで、本発明はこのような課題を解決するもので、バサルト繊維を効率的に製造することが可能なバサルト繊維製造装置を提供することを目的とする。
【課題を解決するための手段】
【０００７】
上記目的を達成するために、本第１発明では、溶射バーナ（２）を備える炉体（１）と、玄武岩の粉体（４３，４４）を前記溶射バーナ（２）へ供給するための、酸素、又は空気と酸素の混合気体を流通させる気体搬送路（３３，３４）とを備え、前記溶射バーナ（２）によって溶融生成された溶湯（Ｌ）を貯留する前記炉体（１）の底壁（１１）に繊維引出し孔（１２）を設けて、当該繊維引出し孔（１２）よりバサルト繊維を炉外へ引き出すようにする。
【０００８】
本第１発明によれば、溶射バーナのフレーム中に気体搬送路を経て玄武岩の粉体を直接供給しているから、上記粉体をバーナフレーム中で速やかかつ均一に溶融させることができ、バサルト繊維を効率よく生産することができる。
【０００９】
本第２発明では、前記気体搬送路（３３，３４）を複数設けてそれぞれ異なる種類の前記粉体（４３，４４）を前記溶射バーナ（２）へ供給する。
【００１０】
本第２発明によれば、産地が異なり成分の異なる玄武岩が適当に混合された所望の原料をバーナフレーム中に供給することができる。
【００１１】
上記カッコ内の符号は、後述する実施形態に記載の具体的手段との対応関係を示すものである。
【発明の効果】
【００１２】
以上のように、本発明のバサルト繊維製造装置によれば、バサルト繊維を効率的に製造することができる。
【図面の簡単な説明】
【００１３】
【図１】本発明の一実施形態を示す、バサルト繊維製造装置の系統図である。
【発明を実施するための形態】
【００１４】
図１にはバサルト繊維製造装置の一実施形態における系統図を示す。図１において、炉体１の頂部には、先端を下方に向けた起立姿勢で溶射バーナ２が設置されている。溶射バーナ２にはバーナ燃焼用の燃料と酸素がそれぞれ配管３１，３２によって供給されている。なお、酸素に代えて酸素と空気の混合気体を使用しても良い。また、溶射用の原料を溶射バーナ２へ供給するための搬送配管３３，３４が設けられており、各搬送配管３３，３４には酸素あるいは酸素と空気の混合気体が搬送気体として流通させられている。
【００１５】
本実施形態では搬送配管３３，３４は二本設けられて、各搬送配管３３，３４にそれぞれ原料ホッパ４１，４２が連結されている。原料ホッパ４１，４２には異なる成分の、産地の異なる玄武岩の粉体４３，４４が貯留されており、適当量が搬送配管３３，３４にそれぞれ切り出し供給されるようになっている。
【００１６】
玄武岩の粉体４３，４４の粒径（粉体の直径）の一例は１００μｍ程度である。粉体の粒径は、以下の溶融時間計算式（式（１））を使用して、溶融温度に到達する時間や、原料として使用する玄武岩の成分等から決定される。
T=0.84×(C×ρ×D**2)÷λ×ln((Tf−To)÷(Tf−Tm))…（１）
【００１７】
式（１）中、T:溶融温度到達時間、C:粉体の比熱、ρ:粉体の密度、D:粉体の直径、λ:粉体の熱伝導率、Tf:火炎（フレーム）温度、To:粉体粒子の初期温度、Tm:粉体粒子の溶融温度である。また、**は「べき数」を示す。 
【００１８】
原料ホッパ４１，４２を複数設けるのは、産地が異なり、成分の異なる玄武岩を適当に混合して所望の成分を得るためである。したがって、原料ホッパ４１，４２および搬送配管３３，３４の数は特に限定されるものではない。
【００１９】
溶射バーナ２より下方の炉体１内は、当該バーナ２のフレーム２１で溶融させられた原料が溶湯Ｌとして貯留される空間となっており、溶湯Ｌを保持する炉体１の底壁１１には、多数の繊維引出し孔１２が形成されている。また炉体１の下方には引き揃え機５１と、巻取り機５２が配置されている。
【００２０】
このような構成のバサルト繊維製造装置において、溶射バーナ２に燃料と酸素を供給してそのフレーム２１の温度（火炎温度）を２１００〜２２００℃程度に上昇させ、ここに、搬送配管３３，３４を経て溶射バーナ２に搬送されてきた所望粒度と成分の玄武岩粉体４３，４４を原料として供給する。粉体原料は溶射バーナ２のフレーム２１内で溶融して下方へ落下し、炉体１内で溶湯Ｌとして貯留される。貯留された溶湯Ｌは繊維引出し孔１２から下方へ引き出され、引き揃え機５１で並行状態とされた後、巻き取り機５２で巻き取られる。
【００２１】
以上の実施形態で説明したバサルト繊維製造装置によれば、溶射バーナ２へ玄武岩粉体４３，４４を供給してバーナフレーム２１中で速やかかつ均一に溶融させているから、バサルト繊維を効率よく生産することができる。
【符号の説明】
【００２２】
１…炉体、１１…炉壁、１２…繊維引出し孔、２…溶射バーナ、３３，３４…搬送配管（気体搬送路）、４３，４４…粉体、Ｌ…溶湯。
【図１】
2015113275.tif 000003
(57)【要約】【課題】  生ゴミを絞れるように変形する生ゴミの水切り容器を提供する。【解決手段】本発明の半紡錘形の水切り容器は、ボトル形の筒に飲み口側の反対から切り込みを入れ、短冊状になった側板（１）の先端を筒の内側に向かって折り曲げ、その前後にあけた２つの穴（２ａ、２ｂ）に、筒の外側から管（３）を通して輪にしたことで、短冊状の側板が同一方向に半ひねりしているため、容器を上から押すと、容器中央部が狭くなるように変形する。本発明容器に水切りネットを取付けて、上から押すと、短冊状の側板が水切りネットに入った生ゴミの上部を周辺から覆うように重なり、中心部の隙間から水切りネットの上端が出るので、片手で上から容器を押え、もう片方の手で水切りネットを引っ張って水を切ることができる。【選択図】図１
2015113236.tif 000002
【特許請求の範囲】
【請求項１】
ボトル形の筒に飲み口側の反対から切り込みを入れ、短冊状になった側板（１）の先端を筒の内側に向かって折り曲げ、その前後にあけた２つの穴（２ａ、２ｂ）に、筒の外側から管（３）を通して輪にして口径を広げることで、すべての短冊状の側板が同一方向に半ひねりした半紡錘形の水切り容器。
【発明の詳細な説明】
【技術分野】
【０００１】  本発明は、生ゴミを絞りやすいように変形する水切り容器に関するものである。
【発明の概要】
【発明が解決しようとする課題】
【０００２】  解決しようとする問題点は、生ゴミは絞ってから捨てるように推奨されているが、三角コーナーから取り出して、水切りネットを手で掴んで絞るとゴミの汁で手が汚れてしまう点である。
【課題を解決するための手段】
【０００３】  本発明容器は、ボトル形の筒に飲み口側の反対から切り込みを入れ、短冊状になった側板（１）の先端を筒の内側に向かって折り曲げ、その前後にあけた２つの穴（２ａ、２ｂ）に、筒の外側から管（３）を通して輪にすることで、短冊状の側板が同一方向に半ひねりしている。本発明容器を上から押すと、容器中央部が狭くなるように変形するので、水切りネットを使用すると、短冊状の側板が水切りネットに入った生ゴミの上部を周辺から覆うように重なり、中心部の隙間から水切りネットの上端が出るので、片手で上から容器を押え、もう片方の手で水切りネットを引っ張って水を切ることができる。
【発明の効果】
【０００４】  本発明は、生ゴミの水切りをするときは、容器を上から手で押すと、生ゴミの上部を覆うように変形するため、生ゴミを容器から取り出すことも直接ゴミに触れることもなく水切りができる。
【図面の簡単な説明】
【０００５】
【図１】  本発明容器の側面図である。
【図２】  水切りネットを取付けて本発明容器を変形させた側面図である。
【発明を実施するための形態】
【０００６】  本発明を使用するときは、容器底部の吸盤（４）で流し台に固定し、容器の内側に市販の水切りネットを取付けて生ゴミを入れる。水を切るときは、容器を上から手で押すと、容器の短冊状の側板が、水切りネットに入った生ゴミの上部を周辺から覆うように重なり、側板の中心部の隙間から水切りネットの上端が出るので、片手で上から容器を押え、もう片方の手で水切りネットを引っ張って水を切る。
【産業上の利用可能性】
【０００７】  本発明は、受け皿を設ければ茶殻入れにも適用できる。
【符号の説明】
【０００８】１側板
２ａ遠位端穴
２ｂ近位端穴
３管
４吸盤
【図１】
2015113236.tif 000003
【図２】
2015113236.tif 000004
(57)【要約】【課題】鏡、ガラスを傷つけること無く、手作業で水垢等の汚れを除去することができる洗剤及び道具、方法を提供する。【解決手段】本発明は、界面活性剤入り酸性洗浄剤、塗布用マーカーからなる。水垢の主成分であるカルシウム、油分等の汚れを界面活性剤入り酸性洗浄剤にて分解、除去できる洗浄剤、塗布する際に使用するマーカーを提供することで、研磨することなく、水垢等の汚れを除去できる。【選択図】なし【特許請求の範囲】
【請求項１】
（イ）  鏡及びガラスの水垢等の汚れを除去する商品及び方法であって
（ロ）  酸性洗浄剤及び界面活性剤、それらの容器として塗布する為のマーカータイプか      ら構成させる
以上のように構成したことを特徴とする鏡、ガラスの水垢除去商品。
【発明の詳細な説明】
【技術分野】
【０００１】      本発明は、酸性洗浄剤及び界面活性剤からなる洗浄剤をマーカータイプの容器に入れて、鏡、ガラスの水垢等の汚れを除去することができる道具、方法に関する。
【背景技術】
【０００２】従来、この種の汚れの除去には、酸化セリウム、人工ダイヤモンドの粉末を用いて、固着した水垢等の汚れを研磨することにより、ガラス表面を含め削り落とすものであった。
【発明の概要】
【発明が解決しようとする課題】
【０００３】しかしながら、このようなガラスより硬度の高い材料を用いて、手作業で研磨する方法では、ガラス表面にキズをつけずに研磨することは非常に困難であった。
そこで、本発明は、前述の課題を解決する為に、研磨するのではなく、界面活性剤入りの酸性洗浄剤を用いて、汚れを分解、除去する方法、道具を提供するものである。
【課題を解決するための手段】
【０００４】（イ）鏡及びガラスの水垢等の汚れを除去する商品及び方法であって
（ロ）酸性洗浄剤及び界面活性剤、それらの容器として塗布する為の  マーカータイプから構成させる
以上のように構成したことを特徴とする鏡、ガラスの水垢除去商品。
【発明の効果】
【０００５】以上述べてきた如く、本発明によれば、ガラス面を傷つけること無く、水垢等の汚れを手作業にて分解、除去できる。
【発明を実施するための形態】
【実施例】
【０００６】（イ）鏡及びガラスの水垢等の汚れを除去する商品及び方法であって
（ロ）酸性洗浄剤及び界面活性剤、それらの容器として塗布する為の  マーカータイプから構成させる
以上のように構成したことを特徴とする鏡、ガラスの水垢除去商品。
界面活性剤入り酸性洗浄剤をマーカー内部に充填することにより、マーカーから酸性洗浄剤が鏡、ガラス面上の水垢等の汚れに塗布され、分解、除去されるようになっている。【０００７】なお、上述の形態は本発明の好適な形態の一例ではあるがこれに限定されるものではなく、本発明の要旨を逸脱しない範囲において種々変形実施可能であり、界面活性剤入り酸性洗浄剤及びマーカーのみ販売、展示に供してもよい。